(57)【要約】【課題】  視聴者の健康状態の異常を容易に検出すること。【解決手段】  テレビジョン受像機１００は、操作指示の入力を受付ける操作受付部１１と、操作受付部１１に操作指示が入力されることに応じて、該入力された操作指示を日時と関連付けた操作履歴情報１３３Ａを不揮発性メモリ１３３に記憶する操作履歴生成部１３と、不揮発性メモリ１３３に記憶された操作履歴情報１３３Ａに基づいて、視聴者の健康状態の異常を検出する異常状態検出部１７とを備える。【選択図】        図３
2007058404.tif 000002
【特許請求の範囲】
【請求項１】
操作指示の入力を受付ける操作指示受付手段と、
前記操作指示受付手段に操作指示が入力されることに応じて、該入力された操作指示を日時と関連付けて記憶する記憶手段と、
前記記憶手段に記憶された操作指示に基づいて、視聴者の健康状態の異常を検出する異常状態検出手段とを備えた、テレビジョン受像機。
【請求項２】
前記異常状態検出手段は、過去に入力された操作指示を曜日および時間帯別に集計する集計手段と、
前記集計結果に基づいて、次回に操作が入力される日時を予測する予測手段とを含む、請求項１に記載のテレビジョン受像機。
【請求項３】
テレビジョン受像機の前方を撮像して映像信号を出力する撮像手段と、
前記異常状態検出手段により異常が検出されることに応じて、前記撮像手段より出力される映像信号を、予め定められた送信先に送信する送信手段とをさらに備えた、請求項１に記載のテレビジョン受像機。
【請求項４】
操作指示の入力を受付ける操作指示受付手段と、
将来に視聴する番組を設定するための予約設定指示の入力を受付ける予約設定手段と、
テレビジョン受像機の前方を撮像して映像信号を出力する撮像手段と、
前記予約設定された番組の開始日時になった場合に、前記撮像手段より出力される映像信号を解析して、視聴者の健康状態の異常を検出する異常状態検出手段とを備えた、テレビジョン受像機。
【請求項５】
前記異常状態検出手段により異常が検出されることに応じて、前記撮像手段より出力される映像信号を、予め定められた送信先に送信する送信手段をさらに備えた、請求項４に記載のテレビジョン受像機。
【請求項６】
前記送信手段は、ネットワークに接続された他のテレビジョン受像機に前記映像信号を送信する、請求項３または５に記載のテレビジョン受像機。
【請求項７】
前記送信手段は、ネットワークに接続された放送局のコンピュータに、予め定められた他のテレビジョン受像機のみが受信可能な放送電波を送信させる、請求項３または５に記載のテレビジョン受像機。
【請求項８】
操作指示の入力を受付けるステップと、
前記操作指示が入力されることに応じて、該入力された操作指示を日時と関連付けて記憶するステップと、
前記記憶された操作指示に基づいて、視聴者の健康状態の異常を検出するステップとを、テレビジョン受像機に実行させる健康状態検出方法。
【発明の詳細な説明】
【技術分野】
【０００１】
この発明はテレビジョン受像機および健康状態検出方法に関し、特に視聴者の健康状態を検出するテレビジョン受像機およびそのテレビジョン受像機で実行される健康状態検出方法に関する。
【背景技術】
【０００２】
近年、遠隔地に住む独居老人、身体障害者などの健康状態を確認する要望が高まっている。このため、特開平９−２８６８１号公報（特許文献１）には、対象者の動作または生体信号から対象者の異常を検出する異常検出手段と、音、振動、光などの物理的刺激によって対象者を呼び出す呼出手段と、異常検出手段の出力に応じ呼出手段を駆動し、物理的刺激に対する対象者の反応を確認する確認手段と、確認手段の出力に基づいて外部装置へ安否情報の少なくともいずれかを自動通報する通報手段とを備えた安否確認システムが記載されている。
【０００３】
しかしながら、特開平９−２８６８１号公報に記載の安否確認システムでは、対象者の動作または生体信号から対象者の異常を検出するため、異常を検出する精度を向上させるのが困難である。このため、物理的刺激に対する対象者の反応を確認することによって、異常検出の精度を向上させている。また、生体信号を収集する必要があるため、装置が複雑になるといった問題がある。
【特許文献１】特開平９−２８６８１号公報
【発明の開示】
【発明が解決しようとする課題】
【０００４】
この発明は上述した問題点を解決するためになされたもので、この発明の目的の１つは、視聴者の健康状態の異常を容易に検出することが可能なテレビジョン受像機を提供することである。
【０００５】
この発明の他の目的は、視聴者の健康状態の異常を容易に検出することが可能な健康状態検出方法を提供することである。
【課題を解決するための手段】
【０００６】
上述した目的を達成するために、この発明のある局面によれば、テレビジョン受像機は、操作指示の入力を受付ける操作指示受付手段と、操作指示受付手段に操作指示が入力されることに応じて、該入力された操作指示を日時と関連付けて記憶する記憶手段と、記憶手段に記憶された操作指示に基づいて、視聴者の健康状態の異常を検出する異常状態検出手段とを備える。
【０００７】
この発明に従えば、操作指示が日時と関連付けて記憶され、記憶された操作指示に基づいて、視聴者の健康状態の異常が検出される。過去に入力された操作指示から視聴者の健康状態の異常が検出されるので、視聴者の健康状態の異常を容易に検出することが可能なテレビジョン受像機を提供することができる。
【０００８】
好ましくは、異常状態検出手段は、過去に入力された操作指示を曜日および時間帯別に集計する集計手段と、集計結果に基づいて、次回に操作が入力される日時を予測する予測手段とを含む。
【０００９】
この発明に従えば、過去に入力された操作指示の曜日および時間帯別の集計結果から、次回に操作が入力される日時が予測される。予測された日時に視聴者の入力があれば健康状態が正常と判断でき、操作指示の入力がなければ健康状態が異常と判断できる。このため、視聴者の健康状態を容易に判断することができる。
【００１０】
好ましくは、テレビジョン受像機の前方を撮像して映像信号を出力する撮像手段と、異常状態検出手段により異常が検出されることに応じて、撮像手段より出力される映像信号を、予め定められた送信先に送信する送信手段とをさらに備える。
【００１１】
この発明に従えば、視聴者の健康状態の異常が検出されると、テレビジョン受像機の前方を撮像して得られた映像信号が、予め定められた送信先に送信される。このため、映像信号が常に送信されることなく、必要な場合のみ映像信号が送信されるので、映像信号を送信する媒体を有効に利用することができる。
【００１２】
この発明の他の局面によれば、テレビジョン受像機は、操作指示の入力を受付ける操作指示受付手段と、将来に視聴する番組を設定するための予約設定指示の入力を受付ける予約設定手段と、テレビジョン受像機の前方を撮像して映像信号を出力する撮像手段と、予約設定された番組の開始日時になった場合に、撮像手段より出力される映像信号を解析して、視聴者の健康状態の異常を検出する異常状態検出手段とを備える。
【００１３】
この発明に従えば、予約設定された番組の開始日時になった場合に、前方を撮像して得られた映像信号が解析され、視聴者の健康状態の異常が検出される。このため、予約された番組の開始日時における視聴者の存否から予約設定した視聴者の健康状態が正常か異常かを判断することができる。
【００１４】
好ましくは、異常状態検出手段により異常が検出されることに応じて、撮像手段より出力される映像信号を、予め定められた送信先に送信する送信手段をさらに備える。
【００１５】
この発明に従えば、視聴者の健康状態の異常が検出されると、テレビジョン受像機の前方を撮像して得られた映像信号が、予め定められた送信先に送信される。このため、映像信号が常に送信されることなく、必要な場合のみ映像信号が送信されるので、映像信号を送信する媒体を有効に利用することができる。
【００１６】
好ましくは、送信手段は、ネットワークに接続された他のテレビジョン受像機に映像信号を送信する。
【００１７】
この発明に従えば、ネットワークに接続された他のテレビジョン受像機の視聴者に、操作者の健康状態が異常となったことを知らせることができる。
【００１８】
好ましくは、送信手段は、ネットワークに接続された放送局のコンピュータに、予め定められた他のテレビジョン受像機のみが受信可能な放送電波を送信させる。
【００１９】
この発明に従えば、予め定められた他のテレビジョン受像機のみが受信可能な放送電波で、視聴者を撮像して得られる映像信号が送信される。このため、放送局のコンピュータに映像信号を送信するだけで、複数のテレビジョン受像機に一度に送信することができる。
【００２０】
この発明のさらに他の局面によれば、健康状態検出方法は、操作指示の入力を受付けるステップと、操作指示が入力されることに応じて、該入力された操作指示を日時と関連付けて記憶するステップと、記憶された操作指示に基づいて、視聴者の健康状態の異常を検出するステップとを、テレビジョン受像機に実行させる。
【００２１】
この発明に従えば、過去に入力された操作指示から操作者の健康状態の異常が検出されるので、健康状態の異常を容易に検出することが可能な健康状態検出方法を提供することができる。
【発明を実施するための最良の形態】
【００２２】
以下、本発明の実施の形態について図面を参照して説明する。以下の説明では同一の部品には同一の符号を付してある。それらの名称および機能も同じである。したがってそれらについての詳細な説明は繰返さない。
【００２３】
図１は、本発明の実施の形態の１つにおける異常状態検出システムの全体概要を示す図である。図１を参照して、異常状態検出システム１は、放送電波を送信するアンテナ２０１と、放送電波を受信して映像を出力するテレビジョン受像機１００，１００Ａ，１００Ｂと、放送局コンピュータ２００とを含む。テレビジョン受像機１００，１００Ａおよび放送局コンピュータ２００は、ネットワーク２１０に接続されており、互いに映像および音声データの送受信が可能となっている。ネットワーク２１０は、ローカルエリアネットワーク（ＬＡＮ）であり、接続形態は有線または無線を問わない。またネットワーク２１０は、ＬＡＮに限らず、インターネットなどのワイドエリアネットワーク（ＷＡＮ）、公衆交換電話網（ＰＳＴＮ）等であってもよい。
【００２４】
アンテナ２０１は、デジタル放送のための放送電波を出力する。放送データは、後述するＣＡＳ(Ｃｏｎｄｉｔｉｏｎａｌ  Ａｃｃｅｓｓ  Ｓｙｓｔｅｍ）用の放送電波を含む。なお、ここでは、テレビジョン受像機１００，１００Ａ，１００Ｂで、地上デジタル放送用の放送電波を送受信する例を示すが、衛星デジタル放送用の放送電波を送受信するものであってもよい。
【００２５】
放送局コンピュータ２００は、一般的なパーソナルコンピュータであり、その構成は周知なのでここでは説明を繰り返さない。放送局コンピュータ２００は、ＣＡＳ用の放送データをアンテナ２０１に出力し、放送電波を送信させる。
【００２６】
テレビジョン受像機１００，１００Ａ，１００Ｂは、それぞれがアンテナ１０２，１０２Ａ，１０２Ｂに接続されている。アンテナ１０２，１０２Ａ，１０２Ｂは、放送局のアンテナ２０１から送信される放送電波を受信して、テレビジョン受像機１００，１００Ａ，１００Ｂに放送信号をそれぞれ出力する。また、テレビジョン受像機１００，１００Ａそれぞれは、カメラ１１９，１１９Ａおよびマイク１２１，１２１Ａと接続されている。テレビジョン受像機１００，１１０Ａは、その機能および構成は同じなので、ここではテレビジョン受像機１００を例に説明する。なお、テレビジョン受像機１００，１００Ａ，１００Ｂの台数は、図１に示すものに限られず、複数台あればよい。
【００２７】
図２は、テレビジョン受像機１００の構成の概略を示す図である。図２を参照して、テレビジョン受像機１００は、放送電波を受信するアンテナ１０２に接続されており、アンテナ１０２から出力される放送信号がチューナ１０３に入力される。放送信号は、映像データおよび音声データを含む高周波デジタル変調信号である。チューナ１０３は、アンテナ１０２から入力される高周波デジタル変調信号から特定の周波数の信号を取り出す。また、チューナ１０３は、逆インターリーブ回路、誤り訂正回路を備えており、取り出した特定の周波数の高周波デジタル変調信号を復調してトランスポート・ストリーム（以下「ＴＳ」という）をデマルチプレクサ（ＤＥＭＡＸ）１０５に出力する。チューナ１０３で選択する特定の周波数は、後述するシステムコントローラ１０１により指定される。
【００２８】
ＤＥＭＡＸ１０５は、チューナ１０３から受け取ったＴＳを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケットおよびＰＳＩ（Ｐｒｏｇｒａｍ  Ｓｐｅｃｉｆｉｃ  Ｉｎｆｏｒｍａｔｉｏｎ）に分離する。ＤＥＭＡＸ１０５は、ビデオトランスポートパケットとオーディオトランスポートパケットをＡＶデコーダ１０７に供給し、ＰＳＩに含まれるサービス情報をシステムコントローラ１０１に供給する。なお、ＴＳには複数のチャネルが多重化されており、この中から任意のチャネルを選択するための処理は、ＰＳＩから任意のチャネルがＴＳ中でどのパケットＩＤで多重化されているかといったデータを取り出すことで可能となる。さらに、ＴＳの選定(トランスポンダの選定）もＰＳＩの情報に基づいて行うことができる。
【００２９】
ＡＶデコーダ１０７は、ビデオトランスポートパケットに対してデコードを行うビデオデコーダ、およびオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行い、映像信号を生成する。オーディオデコーダは、入力された符号化信号を復号して音声信号を生成する。ＡＶデコーダ１０７により生成された映像信号は映像処理回路１０９に出力され、音声信号は音声処理回路１１１に出力される。
【００３０】
映像処理回路１０９はＡＶデコーダ１０７から映像信号を受け取り、Ｄ／Ａ（デジタル／アナログ）変換を行い、映像出力回路１１３に出力する。映像出力回路１１３は、映像信号を、増幅した後表示装置１１４に出力する。表示装置１１４は、映像出力回路１１３から入力される映像信号に従って映像を表示する。表示装置１１４は、たとえば、プラズマディスプレイパネル、液晶表示装置または陰極線管(ＣＲＴ)等である。音声処理回路１１１はＡＶデコーダ１０７から音声信号を受け取り、Ｄ／Ａ変換を行い、右（Ｒ）音のアナログ信号および左（Ｌ）音のアナログ信号を生成し、音声出力回路１１５に出力する。音声出力回路１１５は、音声信号を増幅した後スピーカ１１６に出力する。スピーカ１１６は、音声出力回路１１５から入力される音声信号に従って音を出力する。
【００３１】
カメラ１１９は、ウエブ（Ｗｅｂ）カメラであり、テレビジョン受像機１００の前方向を主に撮像して、撮像して得られる映像信号をシステムコントローラ１０１またはＡＶエンコーダ１１７に出力する。カメラ１１９は、システムコントローラ１０１により制御され、その電源のオンオフの切換および撮像方向の変更がなされる。マイク１２１は、テレビジョン受像機１００の周辺の音を集音してアナログの音声信号をＡＶエンコーダ１１７に出力する。
【００３２】
ＡＶエンコーダ１１７には、カメラ１１９からアナログの映像信号が入力され、マイク１２１からアナログの音声信号が入力される。ＡＶエンコーダ１１７は、ビデオエンコーダと、Ａ／Ｄ（アナログ／デジタル）コンバータと、オーディオエンコーダと、マルチプレクサとを含む。ビデオエンコーダには、アナログの映像信号が入力される。ビデオエンコーダは、入力されるアナログの映像信号をデジタルに変換し、ＭＰＥＧビデオ規格に従って符号化し、符号化した映像データを、マルチプレクサに出力する。
【００３３】
Ａ／Ｄコンバータは、アナログ信号の音声信号が入力される。Ａ／Ｄコンバータは、入力されるアナログの音声信号をデジタルに変換して、オーディオエンコーダに出力する。オーディオエンコーダは、入力されるデジタルの音声信号をＭＰＥＧ／ＡＣ３またはリニアＰＣＭ（Ｐｕｌｓｅ  Ｃｏｄｅ  Ｍｏｄｕｌａｔｉｏｎ）のいずれかのオーディオ規格に従って符号化し、符号化した音声信号をマルチプレクサに出力する。マルチプレクサは、符号化された映像信号と符号化された音声信号とをパケット化して時分割多重化する。時分割多重化されたデータは、ＭＰＥＧ−ＰＳ（Ｐｒｏｇｒａｍ  Ｓｔｒｅａｍ）という。ＭＰＥＧ-ＰＳは、通信Ｉ／Ｆ１２５に出力される。
【００３４】
不揮発性メモリ１３３は、システムコントローラ１０１に接続されたＥＥＰＲＯＭである。不揮発性メモリ１３３は、操作履歴情報と予約情報を記録する。予約情報は、視聴者が視聴を希望する番組を識別するための番組識別情報を少なくとも含む。予約情報を記憶するのは、不揮発性メモリ１３３に代えて、フレキシブルディスク、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、などの半導体メモリ等であってもよい。
【００３５】
ＯＳＤ（オンスクリーンディスプレイ)表示回路１２３は、システムコントローラ１０１から出力指示された文字情報に基づくビットマップデータを加算器１１０に出力する。ＯＳＤ表示回路１２３により、システムコントローラ１０１が受け取ったＰＳＩに含まれるサービス情報に基づくＥＰＧ（Ｅｌｅｃｔｒｏｎｉｃ  Ｐｒｏｇｒａｍ  Ｇｕｉｄｅ）画面が映像出力回路１１３に出力され、表示装置に表示される。視聴者は、ＥＰＧ画面を利用して予約設定をすることができる。予約設定とは、将来視聴を希望する番組を設定しておくものである。テレビジョン受像機１００は、将来視聴を希望する番組が予約設定されている場合、予約設定された番組の放送時刻（番組開始時刻）になると、電源をオンにして、予約設定された番組の映像と音声を出力する。
【００３６】
リモコン送信機１３１は、テレビジョン受像機１００に指令を送出するための送信機である。このリモコン送信機１３１に設けられたキーが視聴者により操作されると、そのキーに対応した指令を意味する信号光(リモコン信号)が発光部から送出される。リモコン受光器１２９は、リモコン送信機１３１が送出するリモコン信号を受光する。そして受光したリモコン信号をシステムコントローラ１０１に出力する。視聴者は、リモコン送信機１３１を操作することにより、システムコントローラ１０１に指令を入力することが可能となる。
【００３７】
操作部１３５は、テレビジョン受像機１００の前面に設けられたキーボードである。操作部１３５に設けられたキーが視聴者により操作されると、そのキーに対応した指令を意味する信号がシステムコントローラ１０１に入力される。視聴者は、操作部１３５を操作することにより、システムコントローラ１０１に指令を入力することが可能となる。
【００３８】
テレビジョン受像機１００は、テレビジョン受像機１００に電源を供給するための電源回路１２７と、テレビジョン受像機１００をネットワーク２１０に接続するための通信Ｉ／Ｆ１２５とをさらに備える。電源回路１２７は、電源コンセントに接続されており、電源コンセントから供給される電力をテレビジョン受像機１００に供給する。電源回路１２７は、テレビジョン受像機１００の主電源がＯＦＦの状態にあるときであっても、システムコントローラ１０１および通信Ｉ／Ｆ１２５には電力を供給する。通信Ｉ／Ｆ１２５は、テレビジョン受像機１００をネットワーク２１０と接続するための通信インターフェイスである。これにより、テレビジョン受像機１００は、他のテレビジョン受像機１００Ａまたは放送局コンピュータ２００との間で通信することが可能となる。テレビジョン受像機１００と、他のテレビジョン受像機１００Ａおよび放送局コンピュータ２００とは、ネットワーク２１０を介して接続されるが、シリアルインターフェイスまたはパラレルインターフェイスを用いて直接接続されてもよい。通信Ｉ／Ｆ１２５は、テレビジョン受像機１００と、他のテレビジョン受像機１００Ａおよび放送局コンピュータ２００との接続形態に応じたインターフェイスが用いられる。
【００３９】
テレビジョン受像機１００Ｂは、テレビジョン受像機１００と異なる点は、カメラ１１９およびマイク１２１が接続されていない点、およびネットワーク２１０に接続されていない点である。このため、テレビジョン受像機１００Ｂは、テレビジョン受像機１００が備えるＡＶエンコーダ１１７および通信Ｉ／Ｆ１２５を備えていない。その他の構成は、図２に示したテレビジョン受像機１００と同じである。
【００４０】
図３は、システムコントローラ１０１の機能の概略を示す機能ブロック図である。図３を参照して、システムコントローラ１０１は、リモコン受光器１２９および操作部１３５に接続される操作受付部１１と、操作受付部１１で受付けられた操作の履歴を生成する操作履歴生成部１３と、ＯＳＤ表示回路１２３に接続された予約設定部１５と、視聴者の健康状態が異常であることを検出するための異常状態検出部１７と、カメラ１１９を制御するためのカメラ制御部２３と、ＡＶエンコーダ１１７および通信Ｉ／Ｆ１２５を制御するための送信部２５とを含む。
【００４１】
操作受付部１１は、リモコン受光器１２９および操作部１３５と接続されており、視聴者が指示した操作指示が入力される。操作受付部１１に入力される操作指示は、操作履歴生成部１３、予約設定部１５および異常状態検出部１７に出力される。
【００４２】
操作履歴生成部１３は、操作受付部１１から操作指示が入力されると、その操作指示の操作名と、操作指示が入力された日時とを関連付けた操作履歴情報を生成して、不揮発性メモリ１３３に記憶する。これにより、操作履歴情報１３３Ａが不揮発性メモリ１３３に記憶される。操作履歴生成部１３は、操作受付部１１に操作指示が入力されるごとに操作履歴情報を生成して、不揮発性メモリ１３３に記憶する。このため、不揮発性メモリ１３３には、視聴者が操作指示を入力した回数に相当する操作履歴情報１３３Ａが記憶される。
【００４３】
図４は、操作履歴情報のフォーマットの一例を示す図である。図４を参照して、操作履歴情報は、操作名と、年月日と、時刻とを含む。操作名は、操作受付部１１に入力された操作指示に対応して予め付された名称であり、コードであってもよい。年月日は、操作受付部１１に操作指示が入力された年月日であり、時刻は、操作受付部１１に操作指示が入力された時刻である。
【００４４】
図３に戻って、予約設定部１５は、ＯＳＤ表示回路１２３と接続されており、操作受付部１１から予約設定指示の操作指示が入力されると、ＯＳＤ表示回路１２３に予約設定画面を出力させる。これにより、表示装置１１４に予約設定画面が表示される。表示装置１１４に予約設定画面が表示されると、視聴者がリモコン送信機１３１または操作部１３５を操作して予約情報を入力する、予約の設定が可能となる。予約設定情報は、番組を識別するための番組識別情報を少なくとも含む。なお、視聴者が予約設定画面で指定する番組を特定するために、ＥＰＧ画面をＯＳＤ表示回路１２３に出力させるようにしてもよい。予約設定部１５は、視聴者により予約情報が入力されると、予約情報を不揮発性メモリ１３３に記憶する。これにより、不揮発性メモリ１３３に予約情報１３３Ｂが記憶され、テレビジョン受像機１００において予約設定される。テレビジョン受像機１００は、現在時刻が、予約設定された番組の放送開始時刻になると、テレビジョン受像機１００の主電源をオンにして、番組の映像および音声を出力する。この際、テレビジョン受像機１００は、不揮発性メモリ１３３から予約情報１３３Ｂを消去する。予約情報は、将来に視聴を希望する番組を特定するための情報だからである。
【００４５】
異常状態検出部１７は、予測部１９と、視聴者検出部２１とを含む。予測部１９は、不揮発性メモリ１３３から操作履歴情報１３３Ａを読出し、曜日および時間帯別の操作回数をカウントする。予測部１９は、それまで視聴者がテレビジョン受像機１００を操作した回数を、曜日および時間帯別に集計する。そして、予測部１９は、集計結果に基づいて、現在の時刻が、視聴者がテレビジョン受像機１００を視聴する時間帯であるか否かを予測する。具体的には、現在の時刻に対応する曜日および時間帯の過去の操作回数を取得し、その操作回数がしきい値を超えていれば、視聴者がテレビジョン受像機１００を視聴する時間帯であるとし、操作回数がしきい値以下であれば、視聴者がテレビジョン受像機１００を視聴しない時間帯と判断する。予測部１９は、現在時刻が、視聴者がテレビジョン受像機１００を視聴する時間帯であると判断した場合には、所定時間内に視聴者が操作を入力しないことを条件に、カメラ制御部２３にカメラ１１９を起動させる指示を出力し、送信部２５にカメラ１１９が出力する映像を送信する指示を出力する。
【００４６】
予測部１９は、過去の操作履歴から視聴者が次回に視聴する番組を予測し、その予測した番組の時間帯に、視聴者がテレビジョン受像機１００を操作しなければ、視聴者の健康状態が異常と判断する。たとえば、視聴者が、気を失って倒れていたり、身体が苦痛で動かなくなっていたりした場合、テレビジョン受像機１００の電源をオンにする操作をすることができない、また、電話などで連絡することさえできないことがある。予測部１９は、視聴者が健康な状態であればテレビジョン受像機１００に入力されるはずの操作が入力されないことを検出することにより、視聴者の健康状態が異常と判断する。
【００４７】
視聴者検出部２１は、不揮発性メモリ１３３から予約情報１３３Ｂを読出し、予約設定された番組の放送開始時刻を取得する。放送開始時刻は、ＥＰＧから取得される。また、予約設定部１５で予約情報１３３Ｂを不揮発性メモリ１３３に記憶する際に、予約情報１３３Ｂに放送開始時刻を含めて記憶するようにしてもよい。視聴者検出部２１は、現在時刻が、予約設定された番組の放送開始時刻になると、カメラ制御部２３にカメラ１１９を起動させる。これにより、視聴者検出部２１は、カメラ１１９で撮像して得られる映像信号が入力される。視聴者検出部２１は、入力される映像信号に基づき、テレビジョン受像機１００の前方に、視聴者が存在するか否かを判断する。具体的には、時刻の異なるフレームの差分から、動物体を検出する。動物体が検出されれば、視聴者が存在すると判断し、検出されなければ視聴者が存在しないと判断する。視聴者検出部２１は、視聴者が存在しないと判断した場合には、送信部２５にカメラ１１９が出力する映像を送信する指示を出力する。視聴者検出部２１は、視聴者が番組を予約設定したにも係わらず、その予約設定した番組を視聴しない場合に、視聴者の健康状態が異常と判断する。たとえば、視聴者が、気を失って倒れていたり、身体が苦痛で動かなくなっていたりした場合、テレビジョン受像機１００の前に行くことができない。また、テレビジョン受像器１００の前に存在したとしても、気を失って倒れていたり、身体が苦痛で動かなくなったりした場合には、動物体として検出されない。視聴者検出部２１は、視聴者が存在するべき時間に存在しないことを検出することにより、または、視聴者が存在するが動かない状態にあることを検出することにより、視聴者の健康状態が異常と判断する。
【００４８】
カメラ制御部２３は、カメラ１１９の電源のオンオフを制御する。また、カメラ１１９の撮像方向やズーム量を制御するようにしてもよい。
【００４９】
送信部２５は、通信Ｉ／Ｆ１２５とＡＶエンコーダ１１７に接続される。送信部２５は、異常状態検出部１７から映像の送信指示が入力されると、ＡＶエンコーダ１１７を起動して、カメラ１１９が出力するアナログの映像信号を符号化させる。また、送信部２５は、ＡＶエンコーダ１１７により符号化された映像信号を、通信Ｉ／Ｆ１２５を介して予め定めた送信先へ送信する。予め定めた送信先のアドレスは、不揮発性メモリ１３３に送信先のネットワークアドレスであり、不揮発性メモリ１３３に予め記憶される。ネットワークアドレスは、たとえば、ＩＰ（Ｉｎｔｅｒｎｅｔ  Ｐｒｏｔｏｃｏｌ）アドレスが用いられる。
【００５０】
送信方法には、２つの方法がある。１つは個別送信で、他の１つは一括送信である。送信先は、テレビジョン受像機１００の視聴者の身内の人、看護者などが所有するテレビジョン受像機である。個別送信は、送信先のテレビジョン受像機に個々に送信する方法であり、送信先が複数ある場合には、複数の送信先にそれぞれ映像信号が送信される。ここでは、個別送信で予め定めた送信先を、テレビジョン受像機１００Ｂとして説明する。テレビジョン受像機１００Ａは、テレビジョン受像機１００から映像信号を受信すると、テレビジョン受像機１００Ａの主電源をオンにして、映像信号をＡＶデコーダ１０７で復号して、表示装置１１４から出力する。なお、個別送信の場合の送信先は、一つに限らず、複数あってもよい。
【００５１】
送信方法が一括送信の場合には、送信先のアドレスは、放送局コンピュータ２００のネットワークアドレスである。放送局コンピュータ２００は、テレビジョン受像機１００から受信した映像信号を、ＣＡＳ用の放送データとしてアンテナ２０１に出力し、放送電波を送信させる。ここでは、テレビジョン受像機１００Ａ，１００ＢでＣＡＳ用の放送データを受信可能としている。テレビジョン受像機１００Ａ，１００Ｂでは、ＣＡＳ用の放送データを受信すると、テレビジョン受像機１００Ａ，１００Ｂそれぞれは、主電源をオンにして、映像信号をＡＶデコーダ１０７で復号して、表示装置１１４から出力する。このため、一括送信では、ネットワーク２１０に接続されていないテレビジョン受像機１００Ｂで、テレビジョン受像機１００のカメラ１１９で撮像して得られた映像を視聴することが可能となる。
【００５２】
図５は、テレビジョン受像機１００で実行される異常状態検出処理の流れの一例を示すフローチャートである。この異常状態検出処理は、システムコントローラ１０１で実行される。図５を参照して、システムコントローラ１０１は、視聴者による操作の有無を検出する（ステップＳ０１）。システムコントローラ１０１は、操作の入力を検出すれば処理をステップＳ１８に進め、操作の入力を検出しなければ処理をステップＳ０２に進める。操作の入力の検出は、リモコン受光器１２９および操作部１３５のいずれかから操作指示が入力されたことを検出する。
【００５３】
ステップＳ１８では、システムコントローラ１０１は、現在の日時を取得する。そして、システムコントローラ１０１は、操作履歴情報を生成して不揮発性メモリ１３３に操作履歴情報１３３Ａを記憶する（ステップＳ１９）。その後、処理はステップＳ０１に戻る。このため、視聴者が、リモコン送信機１３１または操作部１３５を操作するごとに、システムコントローラ１０１は、操作名とその時の日時とを関連付けた操作履歴情報を生成して、生成した操作履歴情報１３３Ａを不揮発性メモリ１３３に記憶する。
【００５４】
処理がステップＳ０２に進む場合、システムコントローラ１０１は、予約情報１３３Ｂが不揮発性メモリ１３３に記憶されているか否かを判断する。システムコントローラ１０１は、予約情報１３３Ｂが記憶されていれば処理をステップＳ０３に進め、記憶されていなければ処理をステップＳ１１に進める。ステップＳ０３では、システムコントローラ１０１は、不揮発性メモリ１３３から予約情報１３３Ｂを読出す。そして、システムコントローラ１０１は、現在の日時が予約日時か否かを判断する（ステップＳ０４）。システムコントローラ１０１は、予約情報１３３Ｂに含まれる番組識別情報とＥＰＧとから放送開始時刻を特定する。この特定した放送開始時刻が予約日時である。システムコントローラ１０１は、現在時刻が、放送開始時刻か否かを判断する。現在時刻が放送開始時刻であれば、システムコントローラ１０１は、現在日時が予約日時と判断して処理をステップＳ０５に進め、そうでなければ処理をステップＳ１１に進める。
【００５５】
ステップＳ０５では、システムコントローラ１０１は、テレビジョン受像機１００の主電源をオンにして、ステップＳ０３で読み出した予約情報で特定される番組のチャンネルに切り換える。そして、システムコントローラ１０１は、カメラ１１９を起動する（ステップＳ０６）。これにより、カメラ１１９は、テレビジョン受像機１００の前方を撮像して、映像信号をシステムコントローラ１０１に出力する。システムコントローラ１０１は、カメラ１１９から入力される映像信号に基づいて、テレビジョン受像機１００の前方に動物体が存在するか否かを判断する（ステップＳ０７）。システムコントローラ１０１は、動物体が存在すると判断した場合は処理をステップＳ０８に進め、存在しないと判断した場合は処理をステップＳ０９に進める。システムコントローラ１０１は、時刻の異なるフレームの差分を算出し、２つのフレームで異なる部分が大きければ動物体が存在すると判断し、２つのフレームで異なる部分が小さければ動物体が存在しないと判断する。視聴者がテレビジョン受像機１００の前方に存在する場合であっても、気を失って倒れていたり、身体が苦痛で動かなくなっていたりした場合、システムコントローラ１０１は、動物体を検出しないので、処理をステップＳ０９に進める。
【００５６】
ステップＳ０９では、システムコントローラ１０１は、所定時間が経過したか否かを判断し、所定時間が経過したならば処理をステップＳ１０に進め、そうでなければ処理をステップＳ０７に戻す。システムコントローラ１０１が、動物体の検出を所定時間継続するためである。視聴者が、放送開始時間に遅れて、テレビジョン受像機１００で番組を視聴することがあるからである。また、テレビジョン受像機１００の前にいても、しばらくの間静止していることもあり、その場合の誤検出を防止するためである。
【００５７】
ステップＳ１０では、システムコントローラ１０１は、カメラ１１９から出力される映像信号の送信を開始する。具体的には、システムコントローラ１０１は、ＡＶエンコーダ１１７を起動してカメラ１１９が出力するアナログの映像信号を符号化させ、符号化後の映像信号を、通信Ｉ／Ｆ１２５を介して予め定めた送信先へ送信する。予め定めた送信先は、個別送信の場合にはテレビジョン受像機１００ＡのＩＰアドレスであり、一括送信の場合には放送局コンピュータ２００のＩＰアドレスである。予め定めた送信先が、テレビジョン受像機１００ＡのＩＰアドレスの場合、テレビジョン受像機１００Ａの表示装置１１４に、テレビジョン受像機１００の前方を撮像した映像が出力される。また、予め定めた送信先が、放送局用コンピュータ２００の場合、テレビジョン受像機１００Ａおよびテレビジョン受像機１００Ｂそれぞれで、表示装置１１４にテレビジョン受像機１００の前方を撮像した映像が出力される。テレビジョン受像機１００の視聴者が倒れていれば、その映像が出力されるので、テレビジョン受像機１００Ａまたはテレビジョン受像機１００Ｂの視聴者は、テレビジョン受像機１００の視聴者の健康状態が異常であることを即座に知ることができる。また、テレビジョン受像機１００の視聴者が映像に写っていなければ、テレビジョン受像機１００の設置された場所とは異なる場所で、倒れていることが予測される。このため、テレビジョン受像機１００Ａまたはテレビジョン受像機１００Ｂの視聴者は、電話などの他の通信手段で状況を確認することができる。
【００５８】
ステップＳ１１では、システムコントローラ１０１は、予測処理を実行する。予測処理の詳細については後述するが、予測処理は、視聴者がテレビジョン受像機１００で番組を視聴する時間帯（予測時間帯）を予測する。次のステップＳ１２では、システムコントローラ１０１は、現在時刻が予測処理で予測された予測時間帯か否かを判断し、イエスであれば処理をステップＳ１３に進め、ノーであれば処理をステップＳ０１に戻す。
【００５９】
ステップＳ１３では、システムコントローラ１０１は、ステップＳ０１でしたのと同様に、視聴者による操作の入力を検出したか否かを判断し、操作の入力が検出されたなら処理をステップＳ１６に進め、操作の入力が検出されなければ処理をステップＳ１４に進める。ステップＳ１４では、システムコントローラ１０１は、所定時間が経過したか否かを判断し、所定時間が経過したならば処理をステップＳ１５に進め、そうでなければ処理をステップＳ１３に戻す。所定時間、操作の入力を検出するためである。視聴者が、放送開始時間に遅れて、テレビジョン受像機１００で番組を視聴することがあるからである。
【００６０】
ステップＳ１５では、システムコントローラ１０１は、カメラ１１９を起動する。これにより、カメラ１１９は、テレビジョン受像機１００の前方を撮像して、映像信号を出力する。そして、ステップＳ１０において、システムコントローラ１０１は、上述したようにカメラ１１９から出力される映像信号の送信を開始する。これにより、個別送信の場合には、テレビジョン受像機１００Ａの表示装置１１４にテレビジョン受像機１００の前方を撮像した映像が出力され、一括送信の場合には、テレビジョン受像機１００Ａおよびテレビジョン受像機１００Ｂそれぞれで、表示装置１１４にテレビジョン受像機１００の前方を撮像した映像が出力される。
【００６１】
システムコントローラ１０１は、予測処理を実行して予測した予測時間帯に、視聴者の操作の入力が検出されなければ、視聴者の健康状態が異常と判断する。たとえば、視聴者が、気を失って倒れていたり、身体が苦痛で動かなくなっていたりした場合、テレビジョン受像機１００の電源をオンにする操作をすることができない、また、電話などで連絡することさえできないことがある。異常状態検出処理を実行するシステムコントローラ１０１は、健康な状態であればテレビジョン受像機１００に入力される操作が、入力されないことを検出することにより、視聴者の健康状態を異常と判断する。
【００６２】
一方、ステップＳ１６およびステップＳ１７では、システムコントローラ１０１は、ステップＳ１８およびステップＳ１９で実行した処理と同様に、現在の日時を取得し（ステップＳ１６）、操作履歴情報を生成して不揮発性メモリ１３３に操作履歴情報１３３Ａを記憶する（ステップＳ１７）。その後、システムコントローラ１０１は、処理をステップＳ０１に戻す。
【００６３】
図６は、テレビジョン受像機１００で実行される予約設定処理の流れの一例を示すフローチャートである。予約設定処理は、システムコントローラ１０１で実行される処理である。図６を参照して、システムコントローラ１０１は、ＥＰＧの表示指定が入力されたか否かを判断する（ステップＳ２１）。システムコントローラ１０１は、ＥＰＧの表示指定が入力されれば処理をステップＳ２２に進め、ＥＰＧの表示指定が入力されなければ処理をステップＳ２４に進める。ステップＳ２２では、システムコントローラ１０１は、番組が指定されるまで待機状態となり（ステップＳ２２でＮＯ）、番組が指定されたなら処理をステップＳ２３に進める。ステップＳ２３では、システムコントローラ１０１は、指定された番組の番組識別情報を含む予約情報を生成し、不揮発性メモリ１３３に予約情報１３３Ｂを記憶する。
【００６４】
一方、ステップＳ２４では、システムコントローラ１０１は、日時の設定を受付ける。そして、チャンネルの設定を受付ける（ステップＳ２５）。システムコントローラ１０１は、日時とチャンネルが設定されたならば、ＥＰＧから番組を特定し、その特定された番組の番組識別情報を含む予約情報１３３Ｂを生成し、不揮発性メモリ１３３に予約情報１３３Ｂを記憶する（ステップＳ２３）。
【００６５】
図７は、図５のステップＳ１１で実行される予測処理の流れの一例を示すフローチャートである。予測処理は、システムコントローラ１０１で実行される処理である。図７を参照して、システムコントローラ１０１は、不揮発性メモリ１３３から操作履歴情報１３３Ａを読出し（ステップＳ３１）、操作履歴情報１３３Ａの操作回数を曜日および時間帯別に集計する（ステップＳ３２）。システムコントローラ１０１は、それまで視聴者がテレビジョン受像機１００を操作した回数を、曜日および時間帯別にカウントする。時間帯の時間は、図５に示したステップＳ１４における所定時間と同じにするのが好ましい。
【００６６】
次に、システムコントローラ１０１は、現在時刻を取得し（ステップＳ３３）、ステップＳ３２の集計結果から現在の時刻の曜日および時間帯の操作回数を取得する（ステップＳ３４）。そして、システムコントローラ１０１は、取得した操作回数がしきい値Ｔを超えているか否かを判断する（ステップＳ３５）。システムコントローラ１０１は、操作回数がしきい値Ｔを超えていれば、処理をステップＳ３６に進めて「予測時間帯」を返り値として、処理を図５に示したステップＳ１２の処理に返す。システムコントローラ１０１は、操作回数がしきい値Ｔを超えていなければ、処理をステップＳ３７に進めて「予測時間帯なし」を返り値として、処理を図５に示したステップＳ１２の処理に返す。
【００６７】
以上説明したように、本実施の形態におけるテレビジョン受像機１００は、視聴者により操作指示が入力されると、操作指示を日時と関連付けて記憶しておき、過去に入力された操作指示から視聴者の健康状態の異常を検出するので、健康状態の異常を容易に検出することができる。
【００６８】
また、視聴者の健康状態に異常が検出されると、カメラ１１９でテレビジョン受像機１００の前方を撮像して得られる映像信号を、予め定められた送信先に送信するので、常に映像信号を送信することなく、必要な場合のみ映像信号が送信される。このため、映像信号を常に送信する必要がないので、映像信号を送信するネットワーク２１０を有効に利用することができる。また、映像で視聴者の健康状態を確認することができる。
【００６９】
また、過去に入力された操作指示を曜日および時間帯別に集計し、次回に操作が入力される日時を予測するので、視聴者の健康状態を容易に判断することができる。
【００７０】
また、予約設定された番組の放送開始日時になった場合に、カメラ１１９で視聴者を撮像して得られた映像を解析して、視聴者の健康状態を検出する。このため、視聴者の健康状態を容易に判断することができる。
【００７１】
また、カメラ１１９で撮像して得られる映像を、ＣＡＳ用の放送電波で、テレビジョン受像機１００Ａ、１００Ｂに送信するので、テレビジョン受像機１００は、放送局コンピュータ２００に映像信号を送信するだけでよい。このため、テレビジョン受像機１００において、映像信号を送信する負荷を低減することができる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７３】
【図１】本発明の実施の形態の１つにおける異常状態検出システムの全体概要を示す図である。
【図２】テレビジョン受像機の構成の概略を示す図である。
【図３】システムコントローラの機能の概略を示す機能ブロック図である。
【図４】操作履歴情報のフォーマットの一例を示す図である。
【図５】テレビジョン受像機で実行される異常状態検出処理の流れの一例を示すフローチャートである。
【図６】テレビジョン受像機で実行される予約設定処理の流れの一例を示すフローチャートである。
【図７】図５のステップＳ１１で実行される予測処理の流れの一例を示すフローチャートである。
【符号の説明】
【００７４】
１  異常状態検出システム、１１  操作受付部、１３  操作履歴生成部、１５  予約設定部、１７  異常状態検出部、１９  予測部、２１  視聴者検出部、２３  カメラ制御部、２５  送信部、１００，１００Ａ，１００Ｂ  テレビジョン受像機、１０１  システムコントローラ、１０２，１０２Ａ，１０２Ｂ  アンテナ、１０３  チューナ、１０７  ＡＶデコーダ、１０９  映像処理回路、１１０  加算器、１１１  音声処理回路、１１３  映像出力回路、１１４  表示装置、１１５  音声出力回路、１１６  スピーカ、１１７  ＡＶエンコーダ、１１８  マルチプレクサ、１１９，１１９Ａ  カメラ、１２１，１２１Ａ  マイク、１２３  表示回路、１２７  電源回路、１２９  リモコン受光器、１３１  リモコン送信機、１３３  不揮発性メモリ、１３３  不揮発性メモリ、１３３Ａ  操作履歴情報、１３３Ｂ  予約情報、１３５  操作部、２００  放送局コンピュータ、２０１  アンテナ、２１０  ネットワーク、１２５  通信Ｉ／Ｆ。
【図１】
2007058404.tif 000003
【図２】
2007058404.tif 000004
【図３】
2007058404.tif 000005
【図４】
2007058404.tif 000006
【図５】
2007058404.tif 000007
【図６】
2007058404.tif 000008
【図７】
2007058404.tif 000009